(57)【要約】【課題】  既設の火災感知器を残しながら、容易に火災感知器の増設を行えるようにする。【解決手段】  増設用の火災感知器として、持ち運び可能な可動型火災感知器４を用い、天井等に固定された固定型火災感知器２とは異なる部屋に設置する。固定型火災感知器２は、無線通信機能を有し、可動型火災感知器４と無線通信を行う。可動型火災感知器４が火災を感知したとき、通知信号を送信する。固定型火災感知器２は、この通知信号を受信すると、ＬＥＤによって報知するとともに、通信線５で接続された報知装置３に通知する。報知装置３は、火災の発生を報知する。【選択図】  図１
2006178723.tif 000002
【特許請求の範囲】
【請求項１】
所定位置に固定された火災感知器が通信線を介して報知装置に接続され、前記固定型火災感知器は、火災の感知時に前記報知装置に通知する火災感知システムであって、増設用として可動型火災感知器を備え、前記固定型火災感知器は、前記可動型火災感知器と無線通信可能とされ、前記可動型火災感知器は、火災を感知したことを前記固定型火災感知器に無線通信によって通知することを特徴とする火災感知システム。
【請求項２】
可動型火災感知器は、火災の感知時に複数回の通知を行うことを特徴とする請求項１記載の火災感知システム。
【請求項３】
可動型火災感知器は、ランダムな時間間隔で複数回の通知を行うことを特徴とする請求項１記載の火災感知システム。
【請求項４】
可動型火災感知器は、電源として電池を備え、電池電圧が低下したとき、固定型火災感知器に通知し、前記固定型火災感知器は、前記可動型火災感知器の電池電圧の低下を報知することを特徴とする請求項１〜３のいずれかに記載の火災感知システム。
【発明の詳細な説明】
【技術分野】
【０００１】
本発明は、住宅、事務所、工場等の建物に設置された火災感知器により火災の感知を行って報知する火災感知システムに関する。
【背景技術】
【０００２】
従来の火災感知システムでは、天井等に設置された火災感知器が通信線を介して報知装置に接続されて、火災感知器が火災を感知したとき、このことを通知するものが一般的である。
【０００３】
このような固定型火災感知器が設置された建物に、火災感知器を増設したり、移設する場合、通信線の配線工事や火災感知器の取付工事が必要となる。そのため、建物自体を傷付けざるを得ず、美観を損ねることになる。また、通信線や電源の配線があるため、任意の場所に設置することが困難である。
【０００４】
そこで、特別な工事を必要とせずに簡単に設置できる火災感知器が特許文献１に提案されている。この火災感知器は、単独で火災を感知して報知するものである。あるいは、火災感知器は、無線通信によって、別に設けられた報知装置に火災を感知したことを送信し、報知装置が報知する。
【特許文献１】特開２００３−１６５４５号公報
【発明の開示】
【発明が解決しようとする課題】
【０００５】
上記の火災感知器であれば、配線工事や取付工事は不要である。しかしながら、この火災感知器は固定型火災感知器とは独立した存在であるので、既設の火災感知システムとは別のシステムとなり、他の火災感知器と互換性がない。そのため、既存の火災感知システムに供用するには問題がある。
【０００６】
本発明は、上記に鑑み、容易に火災感知器の増設を行える火災感知システムの提供を目的とする。
【課題を解決するための手段】
【０００７】
本発明は、所定位置に固定された火災感知器が通信線を介して報知装置に接続され、前記固定型火災感知器は、火災の感知時に前記報知装置に通知する火災感知システムであって、増設用として可動型火災感知器を備え、前記固定型火災感知器は、前記可動型火災感知器と無線通信可能とされ、前記可動型火災感知器は、火災を感知したことを前記固定型火災感知器に無線通信によって通知する。
【０００８】
固定された火災感知器に対して、可動型火災感知器は持ち運び可能であるので、任意の位置に設置可能である。可動型火災感知器が、火災を感知したとき、通知信号が無線通信によって固定型火災感知器に送信され、さらに固定型火災感知器から報知装置に送信される。したがって、可動型火災感知器を各所に設置することにより、広範囲において火災感知を行え、火災感知システムの監視領域を広げることができる。
【０００９】
そして、可動型火災感知器は、火災の感知時に複数回の通知を行う。１回の通知では、通信エラー等によって通知できないことが起こり得るが、複数回の通知を行うことにより、確実に通知できる。
【００１０】
また、ランダムな時間間隔で複数回の通知を行う。可動型火災感知器が複数設置されたとき、同時に通知すると、固定型火災感知器が受信できないおそれがある。しかし、２回目以降の通知は異なるタイミングで行われるので、各可動型火災感知器からの通知信号は輻輳することがない。固定型火災感知器は、それぞれの通知信号を受信できる。
【００１１】
可動型火災感知器は、電源として電池を備え、電池電圧が低下したとき、固定型火災感知器に通知し、前記固定型火災感知器は、前記可動型火災感知器の電池電圧の低下を報知する。電池電圧が低下したとき、電池の交換を促すことにより、電池切れによる火災感知器の動作不能をなくすことができ、システムの信頼性が高まる。
【発明の効果】
【００１２】
本発明によると、既設の火災感知器に無線通信機能を付加することにより、可動型火災感知器と無線通信でき、火災感知器を任意の位置に容易に増設できる。したがって、可動型火災感知器と固定型火災感知器との連携を図れ、可動型火災感知器を既存の火災感知システムに組み入れることができ、システムの変更を容易に行える。
【発明を実施するための最良の形態】
【００１３】
本実施形態の火災感知システムを図１に示す。本システムは、例えば住宅１に設けられており、火災感知のための固定型火災感知器２と、火災の発生を報知する報知装置３と、火災感知器を増設するときに使用する可動型火災感知器４とから構成される。両火災感知器２、４の間では無線通信可能とされ、固定型火災感知器２と報知装置３とは有線で通信可能とされる。
【００１４】
固定型火災感知器２は、１つの部屋の天井あるいは壁に固定されて設置され、報知装置３は、住宅１内のいずれかの部屋の壁に取り付けられ、固定型火災感知器２と報知装置３とは通信線５によって接続される。なお、報知装置３は、住宅１の外部にあってもよく、例えば管理センタとされる。この場合、通信線５は、データ通信可能な電話回線、電力線、光ファイバ等となる。
【００１５】
可動型火災感知器４は、固定型火災感知器２とは異なる部屋に設置される。例えば１階の部屋のたんす等の家具の上に置かれたり、２階の部屋の壁に取り付けられる。
【００１６】
図２に示すように、固定型火災感知器２は、センサ回路１０と、マイコン１１と、有線通信回路１２と、ＬＥＤ表示回路１３と、無線受信回路１４とから構成される。可動型火災感知器４は、センサ回路１５と、マイコン１６と、無線送信回路１７と、電池電源回路１８と、電池電圧検知回路１９とから構成され、これらがキャビネットに内蔵され、持ち運び可能とされる。
【００１７】
各火災感知器２、４のセンサ回路１０、１５は、煙センサ、炎センサ、熱センサ、赤外線センサといった火災の発生に伴う物理的現象を検知するセンサの出力に基づいて検知信号を出力する。固定型火災感知器２の有線通信回路１２は、報知装置３とマイコン１１との間で通信線５を介してデータの送受信を行う。ＬＥＤ表示回路１３は、ＬＥＤの点灯あるいは点滅によって、火災を感知したことや動作中であることを報知する。無線受信回路１４は、可動型火災感知器４の無線送信回路１７から受信した通知信号をマイコン１１に送出する。マイコン１１は、各回路を制御し、センサ回路１０あるいは可動型火災感知器４からの検知信号に基づいて、火災の発生を判断し、火災を感知したときには、報知するように有線通信回路１２およびＬＥＤ表示回路１３を制御する。そして、固定型火災感知器２は、商用電源の電力によって駆動され、無線受信回路１４は、常に受信可能な待機状態にある。
【００１８】
可動型火災感知器４のマイコン１６は、センサ回路１５からの検知信号に基づいて火災の発生を判断し、火災を感知したときには、無線送信回路１７を通じて通知信号を無線によって送信する。ここで、可動型火災感知器４と固定型火災感知器２との間での無線通信は、ブルートゥース（登録商標）、無線ＬＡＮ等の特定小電力無線とされる。なお、両火災感知器２、４の間に障害物がない状態であれば、赤外線、レーザの光通信でもよい。
【００１９】
可動型火災感知器４は、電池を電源としており、電池電源回路１８からの電力によってマイコン１６や各回路が駆動される。電池電圧検知回路１９は、電池電圧を検出し、電池電圧が所定値以下まで低下したとき、電圧低下の検知信号をマイコン１６に出力する。
【００２０】
報知装置３は、音、表示等の手段によって火災の発生を報知する一般的なものであり、固定型火災感知器２と双方向に通信を行う通信回路を有する。報知装置３を利用して、設定信号を送信することにより、固定型火災感知器２の機能を設定できる。
【００２１】
上記の可動型火災感知器４は、持ち運びができるので、住宅１の任意の場所に設置できる。このように、可動型火災感知器４はどこにでも設置可能なので、既存の火災感知システムにおいて火災感知器の増設に容易に対応できる。
【００２２】
そして、可動型火災感知器４が火災を感知したとき、即座に無線通信によって固定型火災感知器２に通知される。固定型火災感知器２において、ＬＥＤによって報知されるとともに、固定型火災感知器２から報知装置３にも通知され、報知装置３が報知する。
【００２３】
ここで、可動型火災感知器４のマイコン１６は、火災の感知時に複数回通知を行う。すなわち、最初の通知信号を送信後、ランダムな時間間隔で同じ通知信号を再度送信する。さらにランダムな時間間隔で同じ通知信号を再々送信する。したがって、同じ通知信号を３回送信する。なお、ランダムな時間間隔は、マイコン１６が乱数表に基づいて決定したり、あるいは各可動型火災感知器４に与えられているユニークな識別番号に基づいて決定してもよい。
【００２４】
これによって、可動型火災感知器４は、無線通信によって火災感知を確実に通知できる。すなわち、ノイズ等の影響によって通信エラーが生じ、固定型火災感知器２が通知信号を正常に受信できない場合があっても、複数回通知するので、時間が経過すれば通信エラーが解消して、正常に受信できる。
【００２５】
また、複数の可動型火災感知器４が同時に通知信号を送信すると、輻輳によって固定型火災感知器２は受信に失敗する。しかし、上記のように各可動型火災感知器４が、２回目以降の通知信号を送信するとき、それぞれの通知信号の送信には時間差がある。したがって、固定型火災感知器２は、複数の可動型火災感知器４から同時に発せられた通知信号を確実に受信できる。
【００２６】
ところで、可動型火災感知器４の電池電圧が低下すると、動作が不安定となる。そこで、電池電圧検知回路１９が、電池電圧が所定値以下になったことを検知すると、マイコン１６は、電池電圧低下の通知信号を出力し、通知信号が固定型火災感知器２に送信される。固定型火災感知器２では、電池電圧低下の通知信号を受信すると、ＬＥＤ表示回路１３において、可動型火災感知器４の電池電圧低下を示す表示を行うことにより報知する。このとき、電池電圧が低下した可動型火災感知器４がどれであるか表示するとよい。したがって、ユーザは、該当する可動型火災感知器４の電池を交換して、火災感知器を使用可能とする。
【００２７】
なお、本発明は、上記実施形態に限定されるものではなく、本発明の範囲内で上記実施形態に多くの修正および変更を加え得ることは勿論である。上記の火災感知システムでは、固定型火災感知器は１つであるが、複数あってもよい。この場合、各固定型火災感知器に対して、複数の決められた可動型火災感知器が無線通信可能とすることにより、通信エラーの発生が減り、固定型火災感知器での信号処理にも時間がかからない。したがって、火災感知時に、迅速な対応が可能となる。
【００２８】
固定型火災感知器の無線受信回路は、内蔵されたものであるが、無線受信ユニットとして、後付け可能な構造としてもよい。これにより、既設の固定型火災感知器に無線通信ユニットを装着するだけで、可動型火災感知器に対応できる。また、可動型火災感知器の電源として太陽電池を用いてもよい。可動型火災感知器を屋外に設置することにより、太陽電池を充電でき、電池切れの心配なく使用できる。
【図面の簡単な説明】
【００２９】
【図１】本発明の火災感知システムの全体構成図
【図２】固定型および可動型火災感知器の概略構成を示すブロック図
【符号の説明】
【００３０】
２    固定型火災感知器
３    報知装置
４    可動型火災感知器
５    通信線
１１    マイコン
１２    有線通信回路
１４    無線受信回路
１６    マイコン
１７    無線送信回路
１９    電池電圧検知回路
【図１】
2006178723.tif 000003
【図２】
2006178723.tif 000004